(57)【要約】  アッパーを有する履物用品のソール構造は、ヒール領域と、フォアフット領域と、ヒール領域とフォアフット領域との間に配置されたミッドフット領域とを含む。ソール構造はまた、流体で充填されたチャンバであって、ヒール領域を介してミッドフット領域からソール構造の内側面に沿って延在する第１のセグメントと、ヒール領域内のソール構造の外側面に沿って延在する第２のセグメントと、第１のセグメントおよび第２のセグメントの一方から延在し、第１のセグメントおよび第２のセグメントの中間の遠位端で終端する第３のセグメントと、を画定する、第２のバリア層と協働する第１のバリア層を含むチャンバと、第１のセグメントと第２のセグメントとの間に配置されてそれらを接続するウェブ領域とを含む。第１のバリア層は、ウェブ領域内で第２のバリア層に取り付けられている。
2021506386.tif 000002
【特許請求の範囲】
【請求項１】
アッパーを有する履物用品のソール構造であって、
ヒール領域と、
フォアフット領域と、
前記ヒール領域と前記フォアフット領域との間に配置されたミッドフット領域と、
流体で充填されたチャンバであって、前記ヒール領域を介して前記ミッドフット領域から当該ソール構造の内側面に沿って延在する第１のセグメントと、前記ヒール領域内の当該ソール構造の外側面に沿って延在する第２のセグメントと、前記第１のセグメントおよび前記第２のセグメントの一方から延在し、前記第１のセグメントおよび前記第２のセグメントの中間の遠位端で終端する第３のセグメントと、を画定する第２のバリア層と協働する第１のバリア層を含むチャンバ、さらに、前記第１のセグメントと前記第２のセグメントと前記第３のセグメントとの間に配置されてそれらを接続するウェブ領域であって、前記第１のバリア層が、該ウェブ領域内で前記第２のバリア層に取り付けられている、ウェブ領域と、
を含んでなることを特徴とする、ソール構造。
【請求項２】
前記第３のセグメントが、前記第１のセグメントおよび前記第２のセグメントのうちの１つから第５のセグメントの遠位端へと上方に向かう方向において連続的にテーパー状になっていることを特徴とする、請求項１に記載のソール構造。
【請求項３】
前記チャンバが、前記ミッドフット領域の前記第１のセグメントから前記ヒール領域内の前記第２のセグメントまで延在する第４のセグメントを含むことを特徴とする、請求項１に記載のソール構造。
【請求項４】
前記チャンバが、前記ヒール領域の周りに延在し、前記第１のセグメントおよび前記第２のセグメントに流体的に結合された第５のセグメントを含むことを特徴とする、請求項３に記載のソール構造。
【請求項５】
前記第１のセグメント、前記第２のセグメント、前記第４のセグメント、および前記第５のセグメントが、接触パッドを含むことを特徴とする、請求項４に記載のソール構造。
【請求項６】
前記接触パッドが、当該ソール構造の接地面を画定していることを特徴とする、請求項５に記載のソール構造。
【請求項７】
前記ウェブ領域が前記接地面から窪んでいることを特徴とする、請求項６に記載のソール構造。
【請求項８】
前記チャンバが、前記第１のセグメントおよび前記第２のセグメントの他方から延在し、前記第１のセグメントと前記第２のセグメントとの間の遠位端で終端する第４のセグメントを含むことを特徴とする、請求項１に記載のソール構造。
【請求項９】
前記第４のセグメントが、前記第１のセグメントおよび前記第２のセグメントの他方から前記第４のセグメントの遠位端へと上方に向かう方向に連続的にテーパー状になっていることを特徴とする、請求項８に記載のソール構造。
【請求項１０】
前記第３のセグメントが、前記第４のセグメントと実質的に平行に延在していることを特徴とする、請求項９に記載に記載のソール構造。
【請求項１１】
前記第３のセグメントおよび前記第４のセグメントが、前記ソール構造の長手方向軸に対して実質的に垂直に延在していることを特徴とする、請求項９に記載に記載のソール構造。
【請求項１２】
アッパーを有する履物用品のソール構造であって、
ヒール領域と、
フォアフット領域と、
前記ヒール領域と前記フォアフット領域との間に配置されたミッドフット領域と、
流体で充填されたチャンバであって、前記フォアフット領域内の当該ソール構造の内側面と当該ソール構造の外側面との一方に沿って延在する第１のセグメントと、前記第１のセグメントの第１の端部から前記内側面および前記外側面の他方に向かって延在する第２のセグメントと、前記第１のセグメントの第２の端部から前記内側面および前記外側面の他方に向かって延在し、前記第２のセグメントから分岐している第３のセグメントと、を画定する、第２のバリア層と協働する第１のバリア層を含むチャンバと、
を含んでなることを特徴とする、ソール構造。
【請求項１３】
前記チャンバは、前記内側面および前記外側面の他方に沿って延在する第４のセグメントと、前記第４のセグメントの第１の端部から前記内側面および前記外側面の一方に向かって延在する第５のセグメントと、前記第４のセグメントの第２の端部から前記内側面および前記外側面の一方に向かって延在する第６のセグメントと、を含み、前記第５のセグメントが、前記第２のセグメントと前記第３のセグメントとの間に配置されていることを特徴とする、請求項１２に記載のソール構造。
【請求項１４】
前記チャンバは、前記内側面および前記外側面の一方に沿って延在する第７のセグメントと、前記第７のセグメントの第１の端部から前記内側面および前記外側面の他方に向かって延在する第８のセグメントと、前記第７のセグメントの第２の端部から前記内側面および外側面の他方に向かって延在する第９のセグメントと、を含むことを特徴とする、請求項１３に記載のソール構造。
【請求項１５】
前記第３のセグメントおよび前記第８のセグメントは、前記第５のセグメントと前記第６のセグメントとの間に配置されていることを特徴とする、請求項１４に記載のソール構造。
【請求項１６】
前記第６のセグメントは、前記第８のセグメントと前記第９のセグメントとの間に配置されていることを特徴とする、請求項１５に記載のソール構造。
【請求項１７】
前記チャンバが、前記フォアフット領域の周りで、前記内側面および前記外側面の一方の第１の端部から前記内側面および前記外側面の他方の第２の端部まで延在する第１０のセグメントを含むことを特徴とする、請求項１５に記載のソール構造。
【請求項１８】
前記チャンバが、前記第１０のセグメントの第２の端部から前記内側面および前記外側面の一方に向かって延在する第１１のセグメントを含むことを特徴とする、請求項１７に記載のソール構造。
【請求項１９】
前記第５のセグメントおよび前記第１１のセグメントは、前記第２のセグメントと前記第３のセグメントとの間に配置されていることを特徴とする、請求項１８に記載のソール構造。
【請求項２０】
前記第２のセグメントと、前記第６のセグメントと、前記第７のセグメントと、前記第１１のセグメントとは、実質的に平行であることを特徴とする、請求項１８に記載のソール構造。
【請求項２１】
前記第３のセグメントは、前記第５のセグメントに実質的に平行であることを特徴とする、請求項１８に記載のソール構造。
【請求項２２】
前記第２のセグメント、第３のセグメント、第５のセグメント、第６のセグメント、第８のセグメント、第９のセグメント、および、第１１のセグメントはそれぞれ、前記内側面と前記外側面との間の遠位端で終端していることを特徴とする、請求項１８に記載のソール構造。
【発明の詳細な説明】
【技術分野】
【０００１】
［関連出願の参照］
本出願は、２０１７年１２月１４日に出願された米国特許仮出願第６２／５９８，７７１号の優先権を主張するＰＣＴ国際出願で、この参照によりその内容全体が本明細書に組み入れられる。
【０００２】
本開示は、概して、履物用品のソール構造に関し、より具体的には、複数のセグメントを有する流体充填ブラダーを組み込んだソール構造に関する。
【背景技術】
【０００３】
このセクションは、必ずしも従来技術ではない、本開示に関連する背景情報を提供する。
【０００４】
履物用品は、通常、アッパーおよびソール構造を含む。アッパーは、ソール構造上の足を受け入れ、固定し、支持するための任意の適切な材料から形成され得る。アッパーは、靴ひも、ストラップ、または他のファスナーと協力して、足の周りのアッパーのフィットを調整することができる。足の底面に最も近いアッパーの底部は、ソール構造に取り付けられている。
【発明の概要】
【発明が解決しようとする課題】
【０００５】
ソール構造は、一般に、地面とアッパーとの間に延在する層状配置を含む。ソール構造の１つの層には、耐摩耗性と地面との摩擦をもたらすアウトソールが含まれている。アウトソールは、耐久性と耐摩耗性を与えるだけでなく、地面との牽引力を高めるゴムまたは他の材料から形成され得る。ソール構造の別の層は、アウトソールとアッパーとの間に配置されたミッドソールを含む。ミッドソールは、足にクッションをもたらし、加えられた荷重の下で弾力的に圧縮して地面の反力を減衰させることによって足をクッションにする、ポリマー発泡材料から部分的に形成され得る。ミッドソールは、追加または代替として、流体で満たされたブラダーを組み込んで、ソール構造の耐久性を高めるとともに、加えられた荷重の下で弾力的に圧縮して地面の反力を減衰させることにより、足にクッションをもたらす。ソール構造はまた、アッパーの底部に最も近い空隙内に配置された快適性を高めるインソールまたは中敷きと、アッパーに取り付けられ、ミッドソールと中敷きまたは中敷きとの間に配置されたストローベルとを含み得る。
【課題を解決するための手段】
【０００６】
流体で満たされたブラダーを使用するミッドソールは、典型的には、一緒にシールまたは結合されたポリマー材料の２つのバリア層から形成されたブラダーを含む。流体で満たされたブラダーは、空気などの流体で加圧され、運動中などの荷重が加えられたときに弾力的に圧縮されたときにブラダーの形状を保持するために、ブラダー内に引張部材を組み込むことができる。一般的に、ブラダーは、足に対するサポートと、荷重がかかるとブラダーが弾力的に圧縮するときの応答性に関連するクッション特性のバランスを重視して設計されている。
【図面の簡単な説明】
【０００７】
本明細書で説明される図面は、選択された構成の例示のみを目的としており、本開示の範囲を限定することを意図していない。
【０００８】
【図１】本開示の原理による履物用品の側面斜視図である。
【図２】層状構成に配置されたアッパー、ミッドソールおよびアウトソールを有する履物用品を示す、図１の履物用品の分解図である。
【図３】図１の履物用品の底面斜視図であり、ソール構造のブラダーに関連する複数のセグメントの形状および構成を示す。
【図４】図３の４−４線に沿った断面図であり、ソール構造のフォアフット内に配置され、ウェブ領域によって互いに分離されたセグメントを示す。
【図５】図３の５−５線に沿った断面図であり、ソール構造のフォアフット内に配置され、ウェブ領域によって互いに分離されたセグメントを示す。
【図６】図３の６−６線に沿った断面図であり、ソール構造のフォアフット内に配置され、ウェブ領域によって互いに分離されたセグメントを示す。
【図７】図３の７−７線に沿った断面図であり、ソール構造の長さに沿ったセグメントに取り付けられたオーバーモールドされたアウトソールを示す。
【図８】アウトソールが取り付けられたブラダーの第１のチャンバの斜視図である。
【図９】アウトソールが取り付けられたブラダーの第２のチャンバの斜視図である。
【図１０】図１の履物用品の底面斜視図であり、ソール構造のブラダーによって規定されるクッションサポートベクトルを示す。
【０００９】
対応する参照番号は、図面全体を通して対応する部品を示す。
【発明を実施するための形態】
【００１０】
次に、例示的な構成について、添付の図面を参照してより詳しく説明する。例示的な構成は、本開示が徹底され、当業者に本開示の範囲を完全に伝えるように提供される。本開示の構成の完全な理解を与えるために、特定のコンポーネント、デバイス、および方法の例などの特定の詳細が示される。特定の詳細を使用する必要がないこと、例示的な構成が多くの異なる形態で具現化され得ること、および特定の詳細および例示的な構成の開示が本発明の範囲を限定すると解釈されるべきでないことは当業者には明らかであろう。
【００１１】
本明細書で使用される用語は、特定の例示的な構成を説明することのみを目的としており、限定することを意図するものではない。本明細書で使用される場合、単数形の冠詞「ａ」、「ａｎ」、および「ｔｈｅ」は、文脈がそうでないことを明確に示さない限り、複数形も含むことを意図し得る。「備える」、「備えている」、「含む」、および「有する」という用語は包括的であり、したがって、機能、ステップ、操作、要素、および／またはコンポーネントの存在を規定するが、それ以外の機能、ステップ、操作、要素、コンポーネント、および／またはそれらのグループ１つの存在または追加を排除するものではない。本明細書で説明される方法のステップ、プロセス、および動作は、パフォーマンスの順序として具体的に識別されない限り、説明または図示された特定の順序でそれらのパフォーマンスを必ずしも必要とすると解釈されるべきではない。追加または代替のステップが使用され得る。
【００１２】
要素または層が別の要素または層に「オン」、「係合」、「接続」、「取り付け」、または「結合」と言及されている場合、それは直接的にオン、係合、他の要素または層に接続、取り付け、または結合されている、或いは、介在する要素または層が存在し得る。対照的に、ある要素が別の要素または層に「直接に」、「直接接続」、「直接接続」、「直接接続」、または「直接結合」されていると言及されている場合には、介在する要素または層は存在しない。要素間の関係を説明するために使用される他の単語は、同様に解釈される必要がある（たとえば、「間に」対「直接間に」、「隣接」対「直接隣接」等）。本明細書で使用される場合、「および／または」という用語は、関連してリストアップされた１つまたは複数の項目のありとあらゆる組み合わせを含む。
【００１３】
本明細書では、第１、第２、第３などの用語を使用して、様々な要素、コンポーネント、領域、層、および／またはセクションを説明することができる。これらの要素、コンポーネント、領域、レイヤー、セクションは、これらの用語によって制限されるべきではない。これらの用語は、１つの要素、コンポーネント、領域、層、またはセクションを別の領域、層、またはセクションから区別するためにのみ使用され得る。「第１」、「第２」などの用語やその他の数値用語は、文脈で明確に示されていない限り、シーケンスや順序を意味するものではない。したがって、以下で説明する第１の要素、コンポーネント、領域、層、またはセクションは、構成例の教示から逸脱することなく、第２の要素、コンポーネント、領域、層、またはセクションと言及され得る。
【００１４】
本開示の一態様は、アッパーを有する履物用品のソール構造を提供する。ソール構造は、ヒール領域、フォアフット（前足）領域、およびヒール領域とフォアフット領域との間に配置されたミッドフット（中足）領域を含む。ソール構造はまた、流体で充填されたチャンバであって、ヒール領域を介してミッドフット領域からソール構造の内側面(medial side)に沿って延在する第１のセグメントと、ヒール領域内のソール構造の外側面(lateral side)に沿って延在する第２のセグメントと、第１のセグメントおよび第２のセグメントの一方から延在し、第１のセグメントおよび第２のセグメントの中間の遠位端で終端する第３のセグメントと、を画定する、第２のバリア層と協働する第１のバリア層を含むチャンバ、さらに、第１のセグメントと第２のセグメントと第３のセグメントとの間に配置されてそれらを接続するウェブ領域を含む。第１のバリア層は、ウェブ領域内で第２のバリア層に取り付けられる。
【００１５】
本開示の実施は、以下のオプションの特徴のうちの１つ以上を含み得る。いくつかの実施形態では、第３のセグメントは、第１のセグメントおよび第２のセグメントのうちの１つから第５のセグメントの遠位端へと上方に向かう方向において連続的にテーパー状になっている。
【００１６】
いくつかの例では、チャンバは、ミッドフット領域の第１のセグメントからヒール領域内の第２のセグメントまで延在する第４のセグメントを含む。任意選択で、チャンバは、ヒール領域の周りに延在し、第１のセグメントおよび第２のセグメントに流体的に結合された第５のセグメントも含み得る。ここで、第１のセグメント、第２のセグメント、第４のセグメント、および第５のセグメントは、ソール構造の地面に係合する面（接地面）を規定する接触パッドを含む。この例では、ウェブ領域は接地面から窪んでいる。
【００１７】
いくつかの構成では、チャンバは、第１のセグメントおよび第２のセグメントの他方から延在し、第１のセグメントと第２のセグメントとの間の遠位端で終端する第４のセグメントを含む。第４のセグメントは、第１のチャンバから第４のセグメントの遠位端へと上方に向かう方向に連続的にテーパー状になり得る。第４のセグメントは、第３のセグメントに実質的に平行に延在し、第４のセグメントおよび第５のセグメントは、ソール構造の長手方向軸に実質的に垂直に延在し得る。
【００１８】
本開示の別の態様は、アッパーを有する履物用品のためのソール構造を提供する。ソール構造は、ヒール領域、フォアフット領域、およびヒール領域とフォアフット領域との間に配置されたミッドフット領域を含む。ソール構造はまた、流体で充填されたチャンバであって、フォアフット領域内のソール構造の内側面とソール構造の外側面との一方に沿って延在する第１のセグメントと、第１のセグメントの第１の端部から内側と外側との他方に向かって延在する第２のセグメントと、第１のセグメントの第２の端部から内側面と外側面との他方に向かって延在し、第２のセグメントから分岐している第３のセグメントと、を画定する、第２のバリア層と協働する第１のバリア層を含むチャンバを含む。
【００１９】
本開示の実施は、以下のオプションの特徴のうちの１つ以上を含み得る。いくつかの構成では、チャンバは、内側面および外側面の他方に沿って延在する第４のセグメントと、第４のセグメントの第１の端部から内側面および外側面の一方に向かって延在する第５のセグメントと、第４のセグメントの第２の端部から内側面および外側面の一方に向かって延在する第６のセグメントと、を含む。第５のセグメントは、第２のセグメントと第３のセグメントとの間に配置され得る。ここで、チャンバは、内側面および外側面の一方に沿って延在する第７のセグメントと、第７のセグメントの第１の端部から内側面および外側面の他方に向かって延在する第８のセグメントと、第７のセグメントの第２の端部から内側面と外側面の他方に向かって延在する第９のセグメントと、を含み得る。第３のセグメントおよび第８のセグメントは、第５のセグメントと第６のセグメントとの間に配置され得る。第６のセグメントは、第８のセグメントと第９のセグメントとの間に配置され得る。
【００２０】
いくつかの例では、チャンバは、内側面および外側面の一方の第１の端部から内側面および外側面の他方の第２の端部までフォアフット領域の周りに延在する第１０のセグメントを含む。チャンバはまた、第１０のセグメントの第２の端部から内側面および外側面の一方に向かって延在する第１１のセグメントを含み得る。第５のセグメントおよび第１１のセグメントは、第２のセグメントと第３のセグメントとの間に配置され得る。第２のセグメント、第６のセグメント、第７のセグメント、および第１１のセグメントは、実質的に平行であってよい。第３のセグメントは、第５のセグメントと実質的に平行であってよい。第２、第３、第５、第６、第８、第９、および第１１のセグメントはそれぞれ、内側面と外側面との間の遠位端で終端し得る。
【００２１】
図１および図２を参照すると、履物用品１０は、アッパー１００、アッパー１００に取り付けられたミッドソール２００、およびミッドソール２００と地面との間に延在するアウトソール３００を含む。履物用品１０は、１つまたは複数の領域に分割することができる。領域は、フォアフット領域１２、ミッドフット領域１４、およびヒール領域１６を含み得る。フォアフット領域１２は、中足骨と足の指節骨とを接続するつま先および関節に対応し得る。ミッドフット領域１４は、足のアーチ領域に対応し、ヒール領域１６は、踵骨を含む足の後部に対応し得る。履物１０は、履物１０の反対側に対応し、領域１２、１４、１６を通って延在する、それぞれ内側面１８および外側面２０を含み得る。
【００２２】
アッパー１００は、ミッドソール２００上でのサポートのために足を受容して固定するように構成された内部空隙１０２を規定する内面を含む。アッパー１００は、縫い合わせまたは接着結合され、内部空隙１０２を形成する１つ以上の材料から形成され得る。アッパーの適切な材料には、メッシュ、テキスタイル、フォーム、革、および合成皮革が含まれ得るが、これらに限定されない。材料は、耐久性、通気性、耐摩耗性、柔軟性、および快適性の特性を付与するように選択および配置され得る。
【００２３】
いくつかの例では、アッパー１００は、ミッドソール２００に対向するボトム面１０６および内部空隙１０２のフットベッド１０８を画定する、対向するトップ面を有するストローベル１０４を含む。縫い合わせまたは接着剤は、ストローベル１０４をアッパー１００に固定し得る。図４に示されるように、フットベッド１０８は、足の底面（例えば、足底）のプロファイルに一致するように輪郭形成され得る。必要に応じて、アッパー１００は、インソール１１０またはソックライナ(sockliner)などの追加の層を組み込むこともでき、これらは、ストローベル１０４上に配置され、アッパー１００の内部空隙１０２内にあって、足の足底面を受けて、履物用品１０の快適さを高めることができる。ヒール領域１６の足首開口部１１２は、内部空隙１０２へのアクセスをもたらし得る。例えば、足首開口部１１２は、足を受容して内部空隙１０２内に足を固定し、さらに内部空隙１０２からの足の出し入れを容易にすることができる。
【００２４】
いくつかの例では、１つまたは複数のファスナー１１４がアッパー１００に沿って延びて、足の周りの内部空隙１０２のフィットを調整し、そこからの足の出入りに対応する。アッパー１００は、アイレット(eyelet)などの開口部１１６および／またはファスナー１１４を受け入れる布またはメッシュループなどの他の係合機能を含み得る。ファスナー１１４は、ひも、ストラップ、コード、面ファスナー、または任意の他の適切なタイプのファスナーを含み得る。アッパー１００は、内部空隙１０２とファスナー１１４との間に延在する舌(tongue)部分１１８を含み得る。
【００２５】
図４〜７に示すように、ミッドソール２００は、上部バリア層２０４（以下、「上部層２０４」）および下部バリア層２０６（以下、「下部層２０６」）によって画定されるブラダー２０２を含む。上部層２０４および下部層２０６は、成形または熱成形プロセス中に複数の別個の場所で接合および結合して、ミッドソール２００の外側面１８と内側面２０の間に延在するウェブ領域２１０とミッドソール２００との周囲に延在するフランジ２０８を形成することにより、ブラダー２０２のバリア層を画定する。フランジ２０８およびウェブ領域２１０は、アッパー１００に近接して配置され、したがって、アウトソール３００の地面係合面３０４に対して引っ込んでいる。
【００２６】
ブラダー２０２の上部層２０４は、アッパー１００のストローベル１０４のボトム面１０６に対向し、取付け（例えば、接合および結合）られる。さらに、ブラダー２０２の上部層２０４は、足のクッションとサポートをもたらすために、足の底面のプロファイルに一致して輪郭付けされる。上部層２０４を、成形プロセスまたは熱成形プロセス中に１つまたは複数のポリマー材料から形成することができ、アッパー１００の外周に上向きに延在する外周縁を含み得る。ブラダー２０２の下部層２０６は、ブラダー２０２の上部層２０４とは反対側に配置される。下部層２０６は、アッパー１００に向かって上向きに延び、上部層２０４の外周縁と結合してフランジ２０８を形成する外周縁を含み得る。上部層２０４と同様に、下部層２０６は、上部層２０４と同じまたは異なるポリマー材料で形成され得る。
【００２７】
いくつかの実施形態では、上部層および下部層２０４、２０６は、それぞれが窪みを形成する様々な表面およびピンチ面を画定するモールド（型）部分によってそれぞれ形成され、下部層２０６および上部層２０４が一緒に接合および結合するとき、フランジ２０８および／またはウェブ領域２１０が形成される場所に対応する。いくつかの実施形態では、接着結合は、上部層２０４および下部層２０６を接合して、フランジ２０８およびウェブ領域２１０を形成する。他の実施形態では、上部層２０４および下部層２０６は、熱接合によって、フランジ２０８およびウェブ層２１０を形成するように接合される。いくつかの例では、上部層２０４および下部層２０６の一方または両方が、成形および溶融を容易にする温度まで加熱される。いくつかの例では、層２０４、２０６は、それぞれの型（モールド）の間に配置される前に加熱される。他の例では、層２０４、２０６の温度を上げるために型を加熱することができる。いくつかの実施形態では、ブラダー２０２を形成するために使用される成形プロセスは、上部層２０４および下部層２０６がそれぞれの型部分と接触するように引かれるように空気を除去するために、型部分内に真空ポートを組み込む。他の実施形態では、空気などの流体は、圧力差により層２０４、２０６がそれぞれの型部分の表面と係合するように、上部層２０４と下部層２０６との間の領域に注入され得る。
【００２８】
いくつかの実施形態では、ミッドソール２００は、ブラダー２０２の上部層２０４とアッパー１００との間に配置されたポリマー発泡体層（図示せず）を含み得る。したがって、ミッドソール２００の任意の発泡体（フォーム）層は、ブラダー２０２の上部層２０４をアッパー１００および／またはストローベル１０４のボトム面１０６に接合することによって、ブラダー２０２の上部層２０４を間接的にアッパー１００に取り付けるための中間層として機能する。そうすることで、オプションのフォーム層は、下部層２０６をアウトソール３００に接合し、それにより、ミッドソール２００およびアウトソール３００をアッパー１００に固定する。さらに、履物１０のフォーム層はまた、上部層２０４が、アッパー１００の周辺表面上に延在し、したがって、履物１０の長時間の使用にわたって上部層２０４がアッパー１００から離脱する可能性を低減することにより、履物１０の耐久性を増大させる。
【００２９】
図３を参照すると、ブラダー２０２は、１つまたは複数のチャンバ２１２、２１４を含む。図示の例では、第１のチャンバ２１２は、ミッドフット領域１４からフォアフット領域１２のつま先部分まで延在し、第２のチャンバ２１２は、ヒール領域を貫通して延在する。第２のチャンバ２１２は、以下でより詳細に説明するように、導管２２０ｄによって第１のチャンバ２１２に流体的に結合されている。
【００３０】
チャンバ２１２、２１４はそれぞれ、１つまたは複数の導管２２０ａ〜２２０ｄによって互いに流体的に結合された複数のセグメント２１８ａ〜２１８ｑによって画定される。いくつかの実施形態では、下部層２０６は、複数のセグメント２１８ａ〜２１８ｑおよび導管２２０ａ〜２２０ｄの形状（たとえば、厚さ、幅、および長さ）を規定する。下部層２０６および上部層２０４は、ブラダー２０２の外側面１８と内側面２０との間の複数の別個の領域で一緒に接合および結合して、それぞれのセグメント２１８ａ〜２１８ｑおよび導管２２０ａ〜２２０ｄを結合および分離するウェブ領域２１０の部分を形成し得る。したがって、それぞれのセグメント２１８ａ〜２１８ｑおよび導管２２０ａ〜２２０ｄは、上部層および下部層２０４、２０６が互いに接合されておらず、したがって、互いに分離されてそれぞれの空隙を形成するブラダー２０２の領域に関連付けられている。
【００３１】
フランジ２０８およびウェブ領域２１０は、協働して、セグメント２１８ａ〜２１８ｑ内に流体（例えば、空気）を封じ込めるために、セグメント２１８ａ〜２１８ｑのそれぞれの周りに結合および延在し得る。いくつかの例では、ウェブ領域２１０の領域は、セグメント２１８ａ〜２１８ｑおよび／または導管２２０ａ〜２２０ｄによって完全に境界付けられ、一方、ウェブ領域２１０の他の領域は、外側面１８および内側面２０の一方に沿うセグメント２１８ａ〜２１８ｑおよび／または導管２２０ａ〜２２０ｄと、外側面１８または内側面２０の他方に沿うフランジ２０８との組み合わせによって境界付けられる。いくつかの構成では、ウェブ領域２１０の領域は、ミッドソール２００が地面に沿って転動するときに履物１０の屈曲を容易にする屈曲ゾーンを画定する。図３に示されるように、ウェブ領域２１０のどの部分も、外側面１８と内側面２０との間で連続的に延在しない。
【００３２】
図４〜７に示されるように、それぞれのセグメント２１８ａ〜２１８ｑおよび導管２２０ａ〜２２０ｄは、実質的にチューブ状の断面形状および上部層２０４と下部層２０６との間のミッドソール２００の長手方向軸Ｌに対して実質的に垂直に延在する厚さを規定し得る。したがって、それぞれのセグメント２１８ａ〜２１８ｑの厚さは、下部層２０６が上部層２０４からアッパー１００から離れる方向に突出する距離によって定義される。セグメント２１８ａ〜２１８ｑの少なくとも２つは、異なる厚さを定義することができる。例えば、ヒール領域１６に配置された１つ以上のセグメント２１８ｌ〜２１８ｏは、フォアフット領域１２またはミッドフット領域１４に配置された１つ以上のセグメント２１８ａ〜２１８ｋに関連する厚さよりも大きな厚さに関連し得る。図７に示すように、ミッドソール２００の厚さは、ヒール領域１６からフォアフット領域１２にかけて徐々に減少し、ミッドソール２００のフォアフット領域１２が地面との係合のために回転するときにヒール領域１６で最初に発生し、減少するより大きな地面反力を吸収するためのより大きな程度のクッションをもたらす。
【００３３】
それぞれのセグメント２１８ａ〜２１８ｑおよび導管２２０ａ〜２２０ｄは、加圧流体（すなわち、気体、液体）で充填され、履物１０の使用中に足にクッションおよび安定性をもたらす。いくつかの実施形態では、加えられた荷重の下でのチャンバ２１２、２１４の複数のセグメント２１８ａ〜２１８ｑの第１の部分の圧縮性が、応答型のクッションをもたらす一方、チャンバ２１２、２１４のセグメント２１８ａ〜２１８ｑの第２の部分が、加えられた荷重の下でソフトタイプのクッションをもたらすように構成され得る。したがって、ブラダー２０２のセグメント２１８ａ〜２１８ｑは協働し、加えられた荷重が変化するにつれて履物用品１０に勾配クッションをもたらし得る（すなわち、荷重が大きいほど、セグメント２１８ａ〜２１８ｑがより多く圧縮されるため、履物１０のより高い応答性が実行される）。
【００３４】
他の実施態様では、ポリマーフォームおよび／または粒子状物質（いずれも図示せず）などの１つまたは複数のクッション材料は、足にクッションをもたらす加圧流体の代わりに、或いはそれに加えて、セグメント２１８ａ〜２１８ｑの１つまたは複数によって囲まれる。これらの実施形態では、クッション材料は、加圧流体で満たされたセグメント２１８ａ〜２１８ｑとは異なるクッション特性を有する１つまたは複数のセグメント２１８ａ〜２１８ｑを提供することができる。例えば、クッション材料は、加圧流体よりも多かれ少なかれ反応するか、或いは、より大きな衝撃吸収をもたらすことができる。
【００３５】
いくつかの実施形態では、オーバーモールド部分がブラダー２０２の一部の上に延在して、荷重がかかったときにチャンバ２１２、２１４の耐久性と弾力性を向上させる。オーバーモールド部分は、下部層２０６に取り付けることにより、フォアフット領域１２、ミッドフット領域１４、および／またはヒール領域１６の上に延在し、下部層２０６および上部層２０４の間の離間距離がより大きい位置におけるブラダー２０２の耐久性および弾力性を高めることができ、或いは、ヒール領域１６などのブラダー２０２の特定の領域において増加した厚さをもたらし得る。いくつかの例では、オーバーモールド部分は、下部層２０６に結合され、下部層２０６とは異なる厚さ、異なる硬度、および異なる材料のうちの少なくとも１つを含む。オーバーモールド部分は、フォアフット領域１２、ミッドフット領域１４、およびヒール領域１６に存在するチャンバ２１２、２１４を部分的に画定し、それゆえ、オーバーモールド部分がフランジ２０８およびウェブ領域２１０には存在しなくてもよい、下部層２０６の領域に限定され得る。したがって、オーバーモールド部分は、複数のセグメント２１８ａ〜２１８ｑを部分的に画定し得る。
【００３６】
アウトソール３００は、ミッドソール２００に取り付けられ、形状が一致する。アウトソール３００は、履物用品１０の地面係合面３０４を規定するための複数の接触パッド３０２を含み得る。いくつかの例では、接触パッド３０２は、ブラダー２０２の下部層２０６からアッパー１００から離れる方向に延在して、地面との牽引力を増大させる。接触パッド３０２はまた、足の底面を地面より高い位置に置くこともできる。
【００３７】
いくつかの例では、アウトソール３００は、地面係合面３０４と、セグメント２１８ａ〜２１８ｑを画定する下部層２０６の領域に取り付けられた反対側の内面３０６とを含む。したがって、アウトソール３００は、それぞれがそれぞれのセグメント２１８ａ〜２１８ｑの形状に適合する形状を画定する複数のセグメントを含み、それにより、アウトソール３００は、セグメント２１８ａ〜２１８ｑの間の領域に存在せず、フランジ２０８およびブラダー２０２のウェブ領域２１０を露出する。アウトソール３００は、概して、耐摩耗性および地面との牽引力をもたらし、耐久性および耐摩耗性を付与するとともに、地面との牽引力を高める１つ以上の材料から形成され得る。例えば、ゴムが、アウトソール３００の少なくとも一部を形成し得る。
【００３８】
図示の例では、アウトソール３００は、上述のようにオーバーモールド部分として形成される。したがって、アウトソール３００は、オーバーモールドプロセスを使用して、ブラダー２０２の下部層２０６と一体的に形成され得る。他の例では、アウトソール３００は、ブラダー２０２の下部層２０６とは別に形成されてもよく、下部層２０６に接着結合され得る。
【００３９】
図３、図８、および図９を参照すると、ブラダー２０２の形状および構成が、履物１０の底面斜視図を参照して示されている。上述のように、ブラダー２０２は、流体ネットワークを規定する複数のセグメント２１８ａ〜２１８ｑおよび導管２２０ａ〜２２０ｄを有する、第１のチャンバ２１２および第２のチャンバ２１４を含む。セグメント２１８ａ〜２１８ｑの少なくとも１つは、他のセグメント２１８ａ〜２１８ｑとは異なる長さを有し得る。上述のように、セグメント２１８ａ〜２１８ｑは、上部層２０４と下部層２０６とが互いに分離および離間されているミッドソール２００の領域に形成され、加圧流体またはクッション材料を封入するためのそれぞれの空隙を画定する。したがって、フランジ２０８およびウェブ領域２１０は、上部層２０４および下部層２０６が接合および結合されるブラダー２０２の領域に対応し、協働してそれぞれのセグメント２１８ａ〜２１８ｑの周囲を結合および画定し、それにより加圧流体をその中に密封する。したがって、セグメント２１８ａ〜２１８ｑは、ミッドソール２００の領域１２、１４、１６の対応するもの内に配置され、ウェブ領域２１０によって互いに離間され得る。言い換えれば、１つまたは複数のセグメント２１８ａ〜２１８ｑは、ウェブ領域２１０の対応する領域を境界付けるために協力し得る。
【００４０】
いくつかの実施形態では、セグメント２１８ａ〜２１８ｑの少なくとも２つがミッドソール２００の外側面１８に沿って延在する一方で、少なくとも２つの他のセグメント２１８ａ〜２１８ｑがミッドソール２００の内側面２０に沿って延在する。さらに、いくつかのセグメント２１８ａ〜２１８ｑは、ミッドソール２００の外側面１８とミッドソール２００の内側面２０との間に延在する。例えば、少なくとも１つのセグメント２１８ａ〜２１８ｑは、外側面１８および内側面２０の１つから外側面１８および内側面２０のもう一方まで延在し得る。追加または代替として、セグメント２１８ａ〜２１８ｑの少なくとも１つは、外側面１８および内側面２０の一方から、内側面２０と外側面１８との間の位置で終端する遠位端２２２まで延在する。ここで、遠位端（複数可）２２２は、アッパー１００に向かう方向にテーパー状であってよい（すなわち、下部層２０６は、セグメント２１８ａ〜２１８ｑの厚さが遠位端２２２に向かう方向に沿って減少するように、ブラダー２０２の上部層２０４に向かってテーパー状になる）。
【００４１】
いくつかの実施形態では、セグメント２１８ａ〜２１８ｑは、直接または導管２２０を介して互いに流体連通して、ブラダー２０２のための単一圧力システムを形成する。単一圧力システムは、荷重が加えられ、セグメント２１８ａ〜２１８ｑが圧縮または拡張しながら、セグメント２１８ａ〜２１８を介して流体を導き、特に、履物１０の前進走行時の地面反力を減衰させることによって、クッション性と安定性およびサポートを提供する。必要に応じて、セグメント２１８ａ〜２１８ｑの少なくとも１つが異なるように加圧され得るように、セグメント２１８ａ〜２１８ｑの１つ以上が他のセグメント２１８ａ〜２１８ｑから流体的に隔離され得る。
【００４２】
いくつかの構成では、少なくとも２つの隣接するセグメント２１８ａ〜２１８ｑは、屈曲部２２４またはターンで互いに接続され、それにより、対応する屈曲部２２４によって接続された各セグメントは、互いに異なる方向に延在する。それぞれの屈曲部２２４は、ミッドソール２００の周囲に向かって延在する内径に関連付けられている。いくつかの例では、それぞれの屈曲部２２４の半径は、少なくとも３ｍｍである。さらに、それぞれの屈曲部２２４は、フランジ２０８よりもそれぞれのセグメント２１８ａ〜２１８ｑの反対側のミッドソール２００の周囲に近接して配置される。屈曲部２２４を、フランジ２０８よりもセグメント２１８ａ〜２１８ｑの反対側に配置することにより、ミッドソール２００に加えられた荷重間の方向転換中は、セグメント２１８ａ〜２１８ｑによる折りたたみが制限される。
【００４３】
図３および図８を参照すると、いくつかの例では、第１のチャンバ２１２は、フォアフット領域１２からミッドフット領域１４に延在する複数のセグメント２１８ａ〜２１８ｋおよび導管２２０ａ〜２２０ｃを含む。第１のセグメント２１８ａは、フォアフット領域１２の外側面１８に沿って延在する。第２のセグメント２１８ｂは、第１のセグメント２１８ａの第１の端部から内側面２０に向かって延在し、第３のセグメント２１８ｃは、第１のセグメント２１８ａの第２の端部から内側面２０に向かって延在する。第２のセグメント２１８ｂおよび第３のセグメント２１８ｃはそれぞれ、外側面１８と内側面２０との間に配置された遠位端２２２ｂ、２２２ｃで終端する。第２のセグメント２１８ｂおよび第３のセグメント２１８ｃは、外側面１８から内側面２０の方向に互いに分岐する。
【００４４】
第４のセグメント２１８ｄは、フォアフット領域１２のミッドソール２００の内側面２０に沿って延在する。第５のセグメント２１８ｅは、第４のセグメント２１８ｄの第１の端部から外側面１８に向かって延び、第６のセグメント２１８ｆは、第４のセグメント２１８ｄの反対側の第２の端部から外側面１８に向かって延在する。第５のセグメント２１８ｅおよび第６のセグメント２１８ｆのそれぞれは、外側面１８と内側面２０との間に配置された遠位端２２２ｅ、２２２ｆで終わる。第５のセグメント２１８ｅは、第２のセグメント２１８ｂと第３のセグメント２１８ｃとの間に延在し、一方、第３のセグメント２１８ｃは、第５のセグメント２１８ｅと第６のセグメント２１８ｆとの間に延在する。第５のセグメント２１８ｅは、内側面２０から外側面１８への方向に第６のセグメント２１８ｆから分岐している。さらに、第５のセグメント２１８ｅは、図１０に示すように、第３のセグメント２１８ｃに隣接し、実質的に平行に延在する。
【００４５】
第１のチャンバ２１２は、フォアフット領域１２からミッドフット領域１４に外側面１８に沿って延在する第７のセグメント２１８ｇをさらに含む。第８のセグメント２１８ｈは、第７のセグメント２１８ｇの第１の端部から内側面２０に向かって延在し、第９のセグメント２１８ｉは、第７のセグメント２１８ｇの第２の端部から内側面２０に向かって延在する。第８のセグメント２１８ｈおよび第９のセグメント２１８ｉはそれぞれ、外側面１８と内側面２０との間のそれぞれの遠位端２２２ｈ、２２２ｉで終端する。第８のセグメント２１８ｈの終端２２２ｈは、第３のセグメント２１８ｃと第６のセグメント２１８ｆとの間に延在し、第９のセグメント２１８ｉの終端２２２ｉは、第６のセグメント２１８ｆと第２のチャンバ２１４との間に延在する。したがって、第６のセグメント２１８ｆは、第８のセグメント２１８ｈと第９のセグメント２１８ｉとの間に配置される。
【００４６】
さらに図３を参照すると、第１０のセグメント２１８ｊは、フォアフット領域１２のつま先部分の周りに、ミッドソール２００の外側面１８に配置された第１の端部から、ミッドソール２００の内側面２０に配置された第２の端部まで延在する。第１１のセグメント２１８ｋは、第１０のセグメント２１８ｊの第２の端部から外側面１８に向かって延在し、内側面２０と外側面１８との間の遠位端２２２ｋで終了する。第１１のセグメント２１８ｋの遠位端２２２ｋは、第２のセグメント２１８ｂと第５のセグメント２１８ｅとの間に延在する。
【００４７】
いくつかの例では、セグメント２１８ｂ、２１８ｃ、２１８ｅ、２１８ｆ、２１８ｈ、２１８ｉ、２１８ｋはそれぞれ、概して、外側面１８から内側面２０への方向に沿って延在する。図１０に示されるように、第３のセグメント２１８ｃおよび第５のセグメント２１８ｅは、長手方向軸Ｌを横断する第１の方向に沿って平行に延在し、一方、第２のセグメント２１８ｂ、第６のセグメント２１８ｆ、第８のセグメント２１８ｈ、および第１１のセグメント２１８ｋは、長手方向軸Ｌを横断する第２の方向に沿って平行に延在する。したがって、セグメント２１８ｂ、２１８ｃ、２１８ｅ、２１８ｆ、２１８ｈ、２１８ｉ、２１８ｋは、アウトソール３００が地面との係合のために転動するときに連続して圧縮するように構成され、履物１０は、ランニング運動を行って、足にクッションを提供する。ウェブ領域２１０は、セグメント２１８ｂ、２１８ｃ、２１８ｅ、２１８ｆ、２１８ｈ、２１８ｉ、２１８ｋを互いに分離することができ、それにより、ウェブ領域２１０は、フォアフット領域１２からミッドフット領域１４を通って延在する屈曲領域を画定する。長手方向軸Ｌに対するセグメント２１８ｂ、２１８ｃ、２１８ｅ、２１８ｆ、２１８ｈ、２１８ｉ、２１８ｋの横方向の配置、並びに、セグメント２１８ｂ、２１８ｃ、２１８ｅ、２１８ｆ、２１８ｈ、２１８ｉ、２１８ｋを分離するウェブ領域２１０は、セグメント２１８ｂ、２１８ｃ、２１８ｅ、２１８ｆ、２１８ｈ、２１８ｉ、２１８ｋが、加えられた荷重の下で圧縮して、ランニング運動中の地面反力を減衰させることにより、フォアフットにクッションをもたらす一方、セグメント２１８ｂ、２１８ｃ、２１８ｅ、２１８ｆ、２１８ｈ、２１８ｉ、２１８ｋが圧縮されている間、足による振動を同時に減衰する。  
【００４８】
図３および９に示されるように、第２のチャンバ２１４は、内側面２０に沿って延在する第１２のセグメント２１８ｌと、ミッドフット領域１４から外側面１８に沿って延在する第１３のセグメント２１８ｍとを含む。第１２のセグメント２１８ｌは、ヒール領域１６内に完全に配置され得る第１３のセグメント２１８ｍよりもミッドフット領域１４内にさらに延びている。したがって、第１２のセグメント２１８ｌの長さは、第１３のセグメント２１８ｍの長さより長くてもよい。第２のチャンバ２１４はさらに、ミッドフット領域１４の第１２のセグメント２１８ｌからヒール領域１６の第１３のセグメント２１８ｍまで延在する第１４のセグメント２１８ｎを含む。したがって、第１４のセグメント２１８ｍは内側面２０から外側面１８に、ミッドソール２００の長手方向軸Ｌに対して斜めの角度で延在する。第２のチャンバ２１４の第１５のセグメント２１８ｏは、内側面２０の第１２のセグメント２１８ｌから外側面１８の第１３のセグメント２１８ｍまでヒール領域１６の周りに延在する。第１５のセグメント２１８ｏは、第１２のセグメント２１８ｌと第１３のセグメント２１８ｋのそれぞれに流体的に結合され得る。
【００４９】
第２のチャンバ２１４は、長手方向軸Ｌに対して横方向に延在する一対のアンカーセグメント２１８ｐ、２１８ｑをさらに含む。例えば、第１のアンカーセグメント２１８ｐは、第１２のセグメント２１８ｌから内側面２０に沿って外側面１８に向かって延在し、第１２セグメント２１８ｌと第１３セグメント２１８ｍとの間の遠位端２２２ｐで終端する。同様に、第２のアンカーセグメント２１８ｑは、第１３のセグメント２１８ｍから外側面１８に沿って内側面２０に向かって延在し、第１３のセグメント２１８ｍと第１２のセグメント２１８ｌとの間の遠位端２２２ｑで終端する。図１０に示されるように、第２のアンカーセグメント２１８ｑおよび第１のアンカーセグメント２１８ｐは、実質的に平行な軸３０ｐ、３０ｑに沿って延在する。
【００５０】
上述のように、第２のチャンバ２１４の各セグメント２１８１〜２１８ｏは、クッション性および応答性の望ましい特性を与えるために加圧流体で満たされ得る。追加として、或いは、代替として、セグメント２１８ａ〜２１８ｑの１つ以上は、加圧流体とは異なるクッション特性をもたらすためにクッション材料を含み得る。例えば、第１０のセグメント２１８ｏは、地面との履物１０の初期衝撃の吸収を増加させるために、ポリマー発泡体クッション材料を含み得る。
【００５１】
図３、８、および９に示されるように、遠位端２２２は、セグメント２１８ｂ、２１８ｃ、２１８ｅ、２１８ｆ、２１８ｈ、２１８ｉ、２１８ｋ、２１８ｐ、２１８ｑにおける厚さＴおよび幅の両方が遠位端２２２に向かう方向に沿って減少する、複合テーパーを含む。テーパー状の遠位端２２２は、それぞれのセグメント２１８ｂ、２１８ｃ、２１８ｅ、２１８ｆ、２１８ｈ、２１８ｉ、２１８ｋ、２１８ｐ、２１８ｑのアンカーポイントとして機能し、並びに、剪断力などの荷重が加わったときにその形状を保持するための、ブラダー２０２全体のアンカーポイントとして機能する。
【００５２】
図３、８、および９を参照すると、第１のチャンバ２１２は、第１０のセグメント２１８ｊの第１の端部を外側面１８に沿って第１のセグメント２１８ａの第１の端部に流体結合する第１の導管２２０ａを含む。第２の導管２２０ｂは、第１０のセグメント２１８ｊの第２の端部を内側面２０に沿って第４のセグメント２１８ｄの第１の端部に流体結合する。同様に、第１のセグメント２１８ａの第２の端部は、外側面１８に沿った第３の導管２２０ｃによって第７のセグメント２１８ｇの第１の端部に流体結合される。したがって、第１のチャンバ２１２のセグメント２１８ａ〜２１８ｋのすべては、直接的または間接的に相互に流体連通される。第４の導管２２０ｄは、第１２のセグメント２１８ｌの第１の端部を第１のチャンバ２１２の第４のセグメント２１８ｄの第２の端部に流体結合し、それにより、内側面２０に沿って第１のチャンバ２１２および第２のチャンバ２１４を流体結合する。導管２２０は、導管２２０ａ〜２２０ｃへの代替または追加の配置で提供され得る。例えば、導管は、外側面１８と内側面２０との間のブラダー２０２の領域に含まれ得る。
【００５３】
図４は、図３の線４−４に沿った断面図を提供し、インソール１１０を備えた、フォアフット領域１２におけるミッドソール２００、アッパー１００のストローベル１０４、およびブラダー２０２の上部層２０４が、図１および２を参照して上述したように、層状構成で配置されている状態を示す。上述のように、下部層２０６の周縁は、アッパー１００に向かって上向きに延び、上部層２０４の周縁と結合して、内側面２０および外側面１８に沿ってフランジ２０８を形成し得る。ブラダー２０２の下部層２０６はまた、アッパー１００に向かって延び、上部層２０４と接合して、セグメント２１８ｃ、２１８ｄの間に延び、それらを分離するウェブ領域２１０の領域を形成し得る。例えば、ミッドソール２００の内側面２０に沿って延在するセグメント２１８ｄは、内側面２０に形成されたウェブ領域２１０およびフランジ２０８によって境界が定められ、一方、外側面１８のセグメント２１８ａから内側面２０に向かって延在するセグメント２１８ｃは、外側面１８に形成されたウェブ領域２１０およびフランジ２０８によって境界付けられている。セグメント２１８ｃの遠位端２２２ｃは、アッパー１００に向かう方向にテーパー状にされ、外側面１８と内側面２０との間の位置に形成されたウェブ領域２１０で終端する。
【００５４】
アウトソール３００は、セグメント２１８ａ、２１８ｃ、２１８ｄのそれぞれに取り付けられ、形状が一致する。いくつかの例では、接触パッド３０２は、アウトソール３００からアッパー１００から離れる方向、且つ、セグメント２１８ａ、２１８ｃ、２１８ｄのそれぞれの長さに沿って延び、地面との牽引力を増大させる。
【００５５】
図５は、図３の線５−５に沿った断面図を提供し、インソール１１０を備えた、フォアフット領域１２におけるミッドソール２００、アッパー１００のストローベル１０４、およびブラダー２０２の上部層２０４が、図１および２を参照して上述したように、層状構成で配置されている状態を示す。下部層２０６の周縁は、アッパー１００に向かって上向きに延び、上部層２０４の周縁と結合して、内側面２０および外側面１８に沿ってフランジ２０８を形成し得る。ブラダー２０２の下部層２０６はまた、アッパー１００に向かって延び、上部層２０４と接合して、セグメント２１８ｆ、２１８ｇの間に延び、それらを分離するウェブ領域２１０の領域を形成し得る。例えば、ミッドソール２００の外側面１８に沿って延在するセグメント２１８ｇは、外側面１８に形成されたウェブ領域２１０およびフランジ２０８によって境界が定められ、一方、内側面２０のセグメント２１８ｄから外側面１８に向かって延在するセグメント２１８ｆは、内側面２０に形成されたウェブ領域２１０およびフランジ２０８によって境界付けられている。セグメント２１８ｆの遠位端２２２ｆは、アッパー１００に向かう方向にテーパー状にされ、外側面１８と内側面２０との間の位置に形成されたウェブ領域２１０で終端する。
【００５６】
アウトソール３００は、セグメント２１８ｄ、２１８ｆ、２１８ｇのそれぞれに取り付けられ、形状が一致する。いくつかの例では、接触パッド３０２は、アウトソール３００からアッパー１００から離れる方向、且つ、セグメント２１８ｄ、２１８ｆ、２１８ｇのそれぞれの長さに沿って延び、地面との牽引力を増大させる。
【００５７】
図６は、図３の線６−６に沿った断面図を提供し、インソール１１０を備えた、ヒール領域１６におけるミッドソール２００、ストローベル１０４、およびブラダー２０２の上部層２０４が、図１および２を参照して上述したように、層状構成で配置されている状態を示す。下部層２０６の周縁は、アッパー１００に向かって上向きに延び、上部層２０４の周縁と結合して、内側面２０および外側面１８に沿ってフランジ２０８を形成し得る。図６に対して、下側層２０６は、アッパー１００から離れる方向に上側層２０４から離れて突出し、内側面２０に沿った第１２のセグメント２１８ｌと、外側面１８に沿った第１３のセグメント２１８ｍと、第２のチャンバ２１４の第１のアンカーセグメント２１８ｐとを画定する。
【００５８】
図７は、図３の線７−７に沿った断面図を提供し、ヒール領域１６、ミッドフット領域１４、およびフォアフット領域１２を通って延在するミッドソール２００およびアウトソール３００を示す。図１および２の履物１０を参照して上述したように、アウトソール３００は、チャンバ２１２、２１４がアッパー１００から離れて突出し、ヒール領域１６、ミッドフット領域１４、およびフォアフット領域１２におけるブラダー２０２の耐久性および弾力性を向上させている領域で下部層２０６の部分に取り付けられる。さらに、セグメント２１８ｂ、２１８ｃ、２１８ｅ、２１８ｆ、２１８ｈ、２１８ｉ、２１８ｋ、２１８ｐ、２１８ｑは、外側面１８と内側面２０との間に延在する。図７に示さるように、ウェブ領域２１０は、セグメント２１８ｂ、２１８ｃ、２１８ｅ、２１８ｆ、２１８ｈ、２１８ｉ、２１８ｋ、２１８ｐ、２１８ｑの間で分離および延在し得る。いくつかの例では、セグメント２１８ａ〜２１８ｋはフォアフット領域１２内まで延在し、ヒール領域１６および／またはミッドフット領域１４のセグメント２１８ｌ〜２１８ｏよりも薄い厚さに関連付けられている。
【００５９】
図８は、互いに流体結合され、ミッドソール２００のフォアフット領域１２内に配置されたセグメント２１８ａ〜２１８ｅ、２１８ｊ、２１８ｋの底面斜視図である。いくつかの例では、セグメント２１８ｂ、２１８ｃ、２１８ｅ、２１８ｋは、外側面１８と内側面２０との間で、外側面１８と内側面２０との間の位置で終端する遠位端２２２ｂ、２２２ｃ、２２２ｅ、２２２ｋまで延在する。遠位端２２２ｂ、２２２ｃ、２２２ｅ、２２２ｋは、アッパー１００に向かう方向にテーパー状であってよい。セグメント２１８ｂ、２１８ｃ、２１８ｅ、２１８ｋの遠位端２２２ｂ、２２２ｃ、２２２ｅ、２２２ｋによるテーパー状は、荷重がかかっているときのセグメント２１８ｂ、２１８ｃ、２１８ｅ、２１８ｋのためのアンカーポイントとして機能し得る。
【００６０】
図９は、互いに流体結合され、ミッドソール２００のヒール領域１６内に配置されたセグメント２１８ｌ〜２１８ｑの底面斜視図である。いくつかの例では、セグメント２１８ｐ、２１８ｑは、外側面１８と内側面２０との間の位置で終端する遠位端２２２ｐ、２２２ｑまで延在する。遠位端部２２２ｐ、２２２ｑは、アッパー１００に向かう方向にテーパー状であってよい。セグメント２１８ｐ、２１８ｑの遠位端２２２ｐ、２２２ｑによるテーパー状は、荷重がかかっているときのセグメント２１８ｌ、２１８ｍのためのアンカーポイントとして機能し得る。
【００６１】
図１０は、図１の履物用品１０の底面斜視図であって、セグメント２１８ａ〜２１８ｑによって規定される複数のクッションサポートベクトル３０ａ〜３０ｑを示す。より具体的には、セグメント２１８ａ〜２１８ｑのそれぞれの長手方向軸は、クッションサポートベクトル３０ａ〜３０ｑのそれぞれのものを画定する。クッションサポートベクトルに平行な方向に関連する荷重がかかると、１つ以上の対応するセグメントは、潰れることなくその形状を実質的に保持し、それらの領域で足のサポートと安定性を提供する。一方、クッションサポートベクトルを横断する方向に関連する荷重は、１つまたは複数の対応するセグメントを圧縮および収縮させて、荷重に関連する地面反力を減衰させることにより、これらの領域の足にクッションをもたらします。長手方向クッションサポートベクトル３０ａ、３０ｄ、３０ｇ、３０ｍ、３０ｌは、ミッドソール２００の長手方向軸Ｌに沿った方向に延び、横方向クッションサポートベクトル３０ｂ、３０ｃ、３０ｅ、３０ｆ、３０ｈ、３０ｉは、ミッドソール２００の長手方向軸Ｌを横断する方向に延び得る。例えば、横方向クッションサポートベクトル３０ｂ、３０ｃ、３０ｅ、３０ｆ、３０ｈ、３０ｉは、ミッドソール２００の長手方向軸Ｌに対して垂直から１５度（１５°）以内の角度を画定することができる。第１０、第１４、第１５のセグメント２１８ｊ、２１８ｎ、２１８ｏはそれぞれ複合クッションサポートベクトル３０ｊ１、２、３０ｎ、３０ｏ１、２を画定し、これにより、角度付きおよび／または湾曲したセグメント２１８ｊ、２１８ｎ、２１８ｏが、ミッドソール２００の長手方向および横方向の両方に沿った応答性サポートを提供する。
【００６２】
歩行運動やランニング運動などの前進運動中に、ミッドソール２００に加えられる荷重は、長手方向クッションサポートベクトル３０ａ、３０ｄ、３０ｇ、３０ｍ、３０ｌに平行な方向に関連付けられ、それぞれのセグメント２１８ａ、２１８ｄ、２１８ｇ、２１８ｍ、２１８ｌをせん断力下にさせ、それにより、それぞれのセグメント２１８ａ、２１８ｄ、２１８ｇ、２１８ｍ、２１８ｌがそれらの形状を維持し（例えば、圧縮せず）、アウトソールがヒール領域１６およびミッドフット領域１４を介した地面との係合のために転動する際にサポートおよび安定性をもたらす。セグメント２１８ａ、２１８ｄ、２１８ｇ、２１８ｍ、２１８ｌの間に延在するウェブ領域２１０は、荷重がかかったときにねじれ力がセグメント２１８ａ、２１８ｄ、２１８ｇ、２１８ｍ、２１８ｌに作用するのを低減し、それによって勾配応答型クッションをもたらしながら足による振動を減衰する。
【００６３】
シフト運動または横断運動などの横方向運動中に、ミッドソール２００に加えられる荷重は、長手方向クッションサポートベクトル３０ａ、３０ｄ、３０ｇ、３０ｍ、３０ｌを横切る、概して、垂直な方向に関連付けられる。したがって、ベクトル３０ａ、３０ｇ、３０ｍの１つを画定するセグメント２１８ａ、２１８ｇ、２１８ｍは、加えられた荷重がミッドソール２００の外側面１８に向かう方向であるとき、足の外側にクッションをもたらすために圧縮される。一方、加えられた荷重がミッドソール２００の内側面２０に向かう方向であるとき、他のベクトル３０ｄ、３０ｌを画定するセグメント２１８ｄ、２１８ｌは圧縮されて足の内側にクッションをもたらす。
【００６４】
いくつかの実施形態では、一連の横方向クッションサポートベクトル３０ｂ、３０ｃ、３０ｅ、３０ｆ、３０ｈ、３０ｉがミッドフット領域１４およびフォアフット領域１２内に配置され、ミッドソール２００の長手方向軸Ｌを横切る方向に延在する。歩行またはランニング運動などの前進運動中に、ミッドソール２００に加えられる荷重は、横方向クッションサポートベクトル３０ｂ、３０ｃ、３０ｅ、３０ｆ、３０ｈ、３０ｉを横切る方向に関連付けられる。したがって、ベクトル３０ｂ、３０ｃ、３０ｅ、３０ｆ、３０ｈ、３０ｉのそれぞれ１つを画定するそれぞれのセグメント２１８ｂ、２１８ｃ、２１８ｅ、２１８ｆ、２１８ｈ、２１８ｉは、地面からのプッシュオフによる足の中足骨領域に対するクッションを提供するために連続的に圧縮されて潰される。加えられた荷重の方向に対する各ベクトル３０ｂ、３０ｃ、３０ｅ、３０ｆ、３０ｈ、３０ｉの方向と、それぞれのセグメント２１８ｂ、２１８ｃ、２１８ｅ、２１８ｆ、２１８ｈ、２１８ｉの長さとは、地面反力を減衰させるためにセグメントがどのように圧縮するかを決定する。
【００６５】
シフト運動または横断運動などの横方向運動中に、ミッドソール２００に加えられる荷重は、横方向クッションサポートベクトル３０ｂ、３０ｃ、３０ｅ、３０ｆ、３０ｈ、３０ｉに対してほぼ平行またはわずかに横方向の方向に関連付けられ、それぞれのセグメント２１８ｂ、２１８ｃ、２１８ｅ、２１８ｆ、２１８ｈ、２１８ｉがせん断力を受けるようにされ、それにより、それぞれのセグメント２１８ｂ、２１８ｃ、２１８ｅ、２１８ｆ、２１８ｈ、２１８ｉがそれらの形状を維持し（例えば、圧縮しないか、或いは、わずかに圧縮する）、横方向運動を実行する履物１０に応答する足の中足骨領域にサポートおよび安定性をもたらす。図３を参照すると、セグメント２１８ｂ、２１８ｃ、２１８ｅ、２１８ｆ、２１８ｈ、２１８ｉ、２１８ｐ、２１８ｑの遠位端２２２は、それぞれアッパー１００に向かう方向にテーパー状にされ、全体としてブラダー２０２のアンカーポイントとして機能し得る。
【００６６】
上述したように、ミッドソール２００は、一連の複合クッションサポートベクトル３０ｊ１、２、３０ｎ、３０ｏ１、２をさらに規定し、これらはそれぞれ、所定の長手方向におけるクッション性および応答性と横方向におけるクッション性および応答性との両方を提供するように構成され、それにより、横方向クッションサポートベクトル３０ｂ、３０ｃ、３０ｅ、３０ｆ、３０ｈ、３０ｉおよび長手方向クッションサポートベクトル３０ａ、３０ｄ、３０ｇ、３０ｍ、３０ｌを補足する。
【００６７】
チャンバ２１２、２１４に関連したセグメント２１８ａ〜２１８ｑは、従来のミッドソールが提供する機能性およびクッション特性を強化するために協働し、同時に、履物使用中の地面反力１０に応答して発生する足の振動を減衰させることによって、足の安定性およびサポートを向上させることができる。たとえば、歩行やランニングなどの前進運動中にミッドソール２００に荷重がかかると、セグメント２１８ａ〜２１８ｑの一部が圧縮され、地面の反力が減衰することで足にクッションが提供され、その一方、他のセグメント２１８ａ〜２１８ｑは、その形状を維持し、地面の反力の初期衝撃に応答して、履物１０に対する足の振動を減衰させる安定性とサポート特性を与える。
【００６８】
さらに、セグメント２１８ａ〜２１８ｑの１つまたは複数は、ミッドソール２００の異なる領域１２、１４、１６内のウェブ領域２１０と相互作用して、応答型クッションの分離領域をもたらし得る。例えば、ヒール領域１６内のセグメント２１８ｌ〜２１８ｏは、ヒール領域１６の外周の周りのセグメント２１８ｌ〜２１８ｏに、セグメント２１８ｌ〜２１８ｏが連続して圧縮するときにトランポリン効果を創出することにより、地面反力の初期衝撃を吸収させることによって、ヒール領域１６に応答型クッションをもたらし、さらに、これによってヒール領域１６に勾配応答型クッションを提供する。
【００６９】
追加として、ミッドソール２００に沿ったセグメント２１８ａ〜２１８ｑの形状および配置は、ヒール領域１６からフォアフット領域１２へ、地面との係合のためにアウトソール３００が転動する前進運動中、並びに、外側面１８および内側面２０の一方から外側面１８および内側面２０の他方へ、地面との係合のためにアウトソール３００が転動する横方向運動中に、アウトソール３００と地面との間の牽引を強化することができる。
【００７０】
以下の項は、上述した履物用品の例示的な構成を提供する。
【００７１】
［第１項］
アッパーを有する履物用品のソール構造であって、ヒール領域と、フォアフット領域と、前記ヒール領域と前記フォアフット領域との間に配置されたミッドフット領域と、流体で充填されたチャンバであって、前記ヒール領域を介して前記ミッドフット領域から当該ソール構造の内側面に沿って延在する第１のセグメントと、前記ヒール領域内の当該ソール構造の外側面に沿って延在する第２のセグメントと、前記第１のセグメントおよび前記第２のセグメントの一方から延在し、前記第１のセグメントおよび前記第２のセグメントの中間の遠位端で終端する第３のセグメントと、を画定する第２のバリア層と協働する第１のバリア層を含むチャンバ、さらに、前記第１のセグメントと前記第２のセグメントと前記第３のセグメントとの間に配置されてそれらを接続するウェブ領域であって、前記第１のバリア層が、該ウェブ領域内で前記第２のバリア層に取り付けられている、ウェブ領域と、を含んでなる、ソール構造。
【００７２】
［第２項］
前記第３のセグメントが、前記第１のセグメントおよび前記第２のセグメントのうちの１つから第５のセグメントの遠位端へと上方に向かう方向において連続的にテーパー状になっている、第１項に記載のソール構造。
【００７３】
［第３項］
前記チャンバが、前記ミッドフット領域の前記第１のセグメントから前記ヒール領域内の前記第２のセグメントまで延在する第４のセグメントを含む、第１項に記載のソール構造。
【００７４】
［第４項］
前記チャンバが、前記ヒール領域の周りに延在し、前記第１のセグメントおよび前記第２のセグメントに流体的に結合された第５のセグメントを含む、第３項に記載のソール構造。
【００７５】
［第５項］
前記第１のセグメント、前記第２のセグメント、前記第４のセグメント、および前記第５のセグメントが、接触パッドを含む、第４項に記載のソール構造。
【００７６】
［第６項］
前記接触パッドが、当該ソール構造の接地面を画定している、第５項に記載のソール構造。
【００７７】
［第７項］
前記ウェブ領域が前記接地面から窪んでいる、第６項に記載のソール構造。
【００７８】
［第８項］
前記チャンバが、前記第１のセグメントおよび前記第２のセグメントの他方から延在し、前記第１のセグメントと前記第２のセグメントとの間の遠位端で終端する第４のセグメントを含む、第１項に記載のソール構造。
【００７９】
［第９項］
前記第４のセグメントが、前記第１のセグメントおよび前記第２のセグメントの他方から前記第４のセグメントの遠位端へと上方に向かう方向に連続的にテーパー状になっている、第８項に記載のソール構造。
【００８０】
［第１０項］
前記第３のセグメントが、前記第４のセグメントと実質的に平行に延在している、第９項に記載のソール構造。
【００８１】
［第１１項］
前記第３のセグメントおよび前記第４のセグメントが、前記ソール構造の長手方向軸に対して実質的に垂直に延在している、第９に記載のソール構造。
【００８２】
［第１２項］
アッパーを有する履物用品のソール構造であって、ヒール領域と、フォアフット領域と、前記ヒール領域と前記フォアフット領域との間に配置されたミッドフットと、流体で充填されたチャンバであって、前記フォアフット領域内の当該ソール構造の内側面と当該ソール構造の外側面との一方に沿って延在する第１のセグメントと、前記第１のセグメントの第１の端部から前記内側面および前記外側面の他方に向かって延在する第２のセグメントと、前記第１のセグメントの第２の端部から前記内側面および前記外側面の他方に向かって延在し、前記第２のセグメントから分岐している第３のセグメントと、を画定する、第２のバリア層と協働する第１のバリア層を含むチャンバと、を含んでなる、ソール構造。
【００８３】
［第１３項］
前記チャンバは、前記内側面および前記外側面の他方に沿って延在する第４のセグメントと、前記第４のセグメントの第１の端部から前記内側面および前記外側面の一方に向かって延在する第５のセグメントと、前記第４のセグメントの第２の端部から前記内側面および前記外側面の一方に向かって延在する第６のセグメントと、を含み、前記第５のセグメントが、前記第２のセグメントと前記第３のセグメントとの間に配置されている、第１２項に記載のソール構造。
【００８４】
［第１４項］
前記チャンバは、前記内側面および前記外側面の一方に沿って延在する第７のセグメントと、前記第７のセグメントの第１の端部から前記内側面および前記外側面の他方に向かって延在する第８のセグメントと、前記第７のセグメントの第２の端部から前記内側面および外側面の他方に向かって延在する第９のセグメントと、を含む、第１３項に記載のソール構造。
【００８５】
［第１５項］
前記第３のセグメントおよび前記第８のセグメントは、前記第５のセグメントと前記第６のセグメントとの間に配置されている、第１４項に記載のソール構造。
【００８６】
［第１６項］
前記第６のセグメントは、前記第８のセグメントと前記第９のセグメントとの間に配置されている、第１５項に記載のソール構造。
【００８７】
［第１７項］
前記チャンバが、前記フォアフット領域の周りで、前記内側面および前記外側面の一方の第１の端部から前記内側面および前記外側面の他方の第２の端部まで延在する第１０のセグメントを含む、第１５項に記載のソール構造。
【００８８】
［第１８項］
前記チャンバが、前記第１０のセグメントの第２の端部から前記内側面および前記外側面の一方に向かって延在する第１１のセグメントを含む、第１７項に記載のソール構造。
【００８９】
［第１９項］
前記第５のセグメントおよび前記第１１のセグメントは、前記第２のセグメントと前記第３のセグメントとの間に配置されている、第１８項に記載のソール構造。
【００９０】
［第２０項］
前記第２のセグメントと、前記第６のセグメントと、前記第７のセグメントと、前記第１１のセグメントとは、実質的に平行である、第１８項に記載のソール構造。
【００９１】
［第２１項］
前記第３のセグメントは、前記第５のセグメントに実質的に平行である、第１８項に記載のソール構造。
【００９２】
［第２２項］
前記第２のセグメント、第３のセグメント、第５のセグメント、第６のセグメント、第８のセグメント、第９のセグメント、および、第１１のセグメントはそれぞれ、前記内側面と前記外側面との間の遠位端で終端している、第１８項に記載のソール構造。
【００９３】
前述の説明は、例示および説明の目的で記載されている。網羅的であること、または開示を制限することを意図していない。特定の構成の個々の要素または機能は、一般にその特定の構成に限定されることなく、適用可能な場合、交換可能であり、具体的に図示または説明されていなくても、選択された構成で使用することができる。同じことが多くの方法で変更される場合もあり、そのような変形は、本開示からの逸脱と見なされるべきではない。すべてのそのような修正は、本開示の範囲内に含まれることが意図されている。
【符号の説明】
【００９４】
１０  履物用品
１２  フォアフット領域
１４  ミッドフット領域
１６  ヒール領域
１８  内側面
２０  外側面
３０ａ、３０ｄ、３０ｇ、３０ｍ、３０ｌ  長手方向クッションサポートベクトル
３０ｂ、３０ｃ、３０ｅ、３０ｆ、３０ｈ、３０ｉ  横方向クッションサポートベクトル
３０ｊ１、２、３０ｎ、３０ｏ１、２  複合クッションサポートベクトル
１００  アッパー
１０２  内部空隙
１０４  ストローベル
１０６  ボトム面
１０８  フットベッド
１１０  インソール
１１２  足首開口部
１１４  ファスナー
１１６  開口部
２００  ミッドソール
２０２  ブラダー
２０４  上部バリア層、上部層
２０６  下部バリア層、下部層
２０８  フランジ
２１０  ウェブ領域
２１２、２１４  チャンバ
２１８ａ〜ｑ  セグメント、アンカーセグメント
２２０ａ〜ｄ  導管
２２２  遠位端、終端
２２４  屈曲部
３００  アウトソール
３０２  接触パッド
３０４  地面係合面
３０６  内面
【図１】
2021506386.tif 000003
【図２】
2021506386.tif 000004
【図３】
2021506386.tif 000005
【図４】
2021506386.tif 000006
【図５】
2021506386.tif 000007
【図６】
2021506386.tif 000008
【図７】
2021506386.tif 000009
【図８】
2021506386.tif 000010
【図９】
2021506386.tif 000011
【図１０】
2021506386.tif 000012
【国際調査報告】
2021506386.tif 000013
2021506386.tif 000014
2021506386.tif 000015
2021506386.tif 000016